(57)【要約】【課題】部品としての取り扱いが容易でスイッチを落下させた場合などであっても二次巻線の断線などを防止することができ、部品点数の削減及び製造工程の簡素化による製造コストの低減が可能なトランス組立品及び表示灯付きスイッチを提供する。【解決手段】外周面が絶縁性樹脂で覆われた円環状のコア２０と、コアの円形開口を突き抜けるようにして巻回された一次巻線２１及び二次巻線２２を備えたコア２０を、絶縁性樹脂で形成された単一の保持枠体３０で保持する。枠保持体３０は、トランス２が載置される載置面３０ｂと、載置面３０ｂに対して垂直に形成され、トランス２の外周部を係止する複数のガイド片３０ｃ、３０ｄ、３０ｅと、一次巻線２１の一方の端部２１ａと電気的に接続される端子板３５と、二次巻線２２の両端部と電気的に接続される二次側端子部材３６を有する。【選択図】図１
2014072216.tif 000002
【特許請求の範囲】
【請求項１】
トランスと、そのトランスを保持する保持枠体を備えたトランス組立品であって、
前記トランスは、磁性材料で円環状に形成され、その外周面が絶縁性樹脂で覆われたコアと、前記コアの外周部から中央の円形開口を突き抜けるようにして巻回された一次巻線と、前記コアの外周部から前記円形開口を突き抜けるようにして巻回され、前記一次巻線よりも細い二次巻線をさらに備え、
前記保持枠体は、絶縁性樹脂で形成された単一の部品であり、前記トランスが載置される載置面と、前記載置面に対して垂直に形成され、前記トランスの外周部を係止することによって前記トランスを前記載置面に固定する複数のガイド片と、前記トランスの前記一次巻線のいずれか一方の端部と電気的に接続される端子板と、前記トランスの前記二次巻線の両端部と電気的に接続される２つの二次側端子部材を有し、
前記トランスは、前記コアの前記円形開口が前記保持枠体の前記載置面に対して平行に載置され、前記載置面が上で前記トランスが下になる状態でも、前記トランスが前記保持枠体から脱落しないように保持されていることを特徴とするトランス組立品。
【請求項２】
前記複数のガイド片のうち、少なくとも２つのガイド片は、前記トランスの前記コアのうち、前記一次巻線及び前記二次巻線が巻回されていない部分の外周部に当接し、前記載置面とは反対側の端部に、前記円形開口の中心に向かって突出する爪が形成されていることを特徴とする請求項１に記載のトランス組立品。
【請求項３】
前記複数のガイド片のうち、少なくとも１つのガイド片は、前記トランスの前記コアに巻回された前記一次巻線の外周部に当接することを特徴とする請求項１に記載のトランス組立品。
【請求項４】
前記トランスの前記コアに巻回された前記一次巻線の外周部に当接する前記少なくとも１つのガイド片は、前記載置面とは反対側の端部に、前記円形開口の中心に向かって突出する爪が形成されていることを特徴とする請求項３に記載のトランス組立品。
【請求項５】
前記複数のガイド片のうち、少なくとも１つのガイド片は、前記トランスの前記コアに巻回された前記二次巻線の外周部に対向又は当接することを特徴とする請求項１に記載のトランス組立品。
【請求項６】
前記２つの二次側端子部材は、前記保持枠体とは別に形成され、それぞれ前記保持枠体に形成された貫通穴に挿入されていることを特徴とする請求項１乃至請求項５のいずれか一項に記載のトランス組立品。
【請求項７】
前記コアは、磁性材料で円環状に形成された芯部分と、その芯部分を完全に内部に収納しうるように、円環状の空洞が形成された絶縁樹脂性のコアケースで構成され、
前記コアケースは、前記保持枠体の前記載置面に向けて突出する突起部を有し、前記保持枠体の前記載置面には、前記突起部と係合される係合溝又は係合穴が形成されていることを特徴とする請求項１乃至請求項６のいずれか一項に記載のトランス組立品。
【請求項８】
可動接点及び固定接点を備え、ユーザのハンドル操作により開閉される開閉接点部と、
環状コアに巻回された一次巻線及び二次巻線を有するトランスと、
前記トランスの二次巻線の両端に接続された表示灯を備え、
前記開閉接点部と前記トランスの前記一次巻線の直列接続体が商用電源と負荷の間に直列接続され、前記負荷がオン状態のときに前記表示灯が点灯される表示灯付きスイッチであって、
前記トランスとして、請求項１乃至請求項７のいずれか一項に記載のトランス組立品を筐体内部に収納したことを特徴とする表示灯付きスイッチ。
【請求項９】
前記保持枠体の前記載置面とは反対側には、前記開閉接点部を取り付けるための取付構造が形成されていることを特徴津する請求項８に記載の表示灯付きスイッチ。
【発明の詳細な説明】
【技術分野】
【０００１】
本発明は、負荷の動作状態を表示するための表示灯付きスイッチ、特に、負荷がオンしているときに表示灯を点灯させるためのトランスの構造に関する。
【背景技術】
【０００２】
従来から、負荷の動作状態、例えば照明装置が点灯しているか又は消灯しているかを表示するための表示灯（パイロットランプ）付きのスイッチが実用化されている（以下、場合に応じて単に「スイッチ」とする）。図６は、表示灯付きスイッチ１の基本的な回路構成を示す。このスイッチは、ユーザによるハンドル操作に応じて開閉される開閉接点部１０と、環状のコア２０に一次巻線２１及び二次巻線２２がそれぞれ巻回されたトランス２と、開閉接点部１０の可動接点及び固定接点に並列に接続された第１表示灯３と、トランスの二次巻線に接続された第２表示灯４を備えている。開閉接点部１０とトランス２の一次巻線の直列接続体は、負荷５及び商用電源６に直列に接続されている。開閉接点部１０が開状態、すなわち負荷５がオフ状態のとき、電流は、商用電源６、第１表示灯３、トランス２の一次巻線２１、負荷５の順に流れ、第１表示灯３が点灯（正確には点滅）する。この場合、第１表示灯３に直列接続されている抵抗体８のインピーダンスを大きくして、負荷５が誤ってオンしないようにしている。また、トランス２の二次巻線２２にはほとんど誘導起電力が誘起されず、第２表示灯４は点灯しない。一方、開閉接点部１０が閉状態、すなわち負荷５がオン状態のとき、電流は、商用電源６、トランス２の一次巻線２１、負荷５の順に流れる。この場合、トランス２の一次巻線２１のインピーダンスは小さいので、負荷５に大電流が流れ、トランス２の二次巻線２２にも第２表示灯４を点灯させうるだけの電流が流れる。例えば、第１表示灯３を緑色ＬＥＤとし、第２表示灯４を赤色ＬＥＤとしている。
【０００３】
このようなスイッチは、金属製の取付枠に固定された後、操作ハンドルとは反対側の背面に設けられた速結端子部に絶縁被膜を剥離された電線が接続され、取付枠ごと造営面（例えば、建築物の玄関やトイレなどの壁面など）に設置される。スイッチの取付作業は、片手で取付枠に固定されたスイッチを保持し、他方の手で壁面の裏側から引き出された電線を速結端子部に差し込むことによって行われる。さらに、配線間違いなどにより、一旦接続した電線を速結端子部から引き抜くためには、ねじ回しなどの工具を速結端子部の工具挿入穴に差し込んで解錠釦を操作しなければならない。そのため、これらの作業は熟練者にとっても非常に煩雑であり、スイッチを床に落下させることも少なくない。
【０００４】
表示灯付きスイッチ１は、上記のようにトランス２を備えており、その一次巻線２１には、負荷５に流れる電流（負荷電流）がそのまま流れる。一次巻線２１のインピーダンスを小さくするため、一次巻線２１として、例えばφ０．７程度の太い線が使用される。それに対して、限られたスペースで巻数を増やすために、二次巻線２２として、例えばφ０．０９程度の非常に細い線が使用される。また、表示灯付きスイッチ１の組立ラインにおいては、あらかじめ別の工場又はラインで組み立てられ、部品としては完成されたトランス２が組み込まれる。そのため、上記のようにスイッチ１を床に落下させた場合や、トランス２をスイッチの筐体に組み込む際に、二次巻線２２が切断されたりする可能性がある。
【０００５】
そこで、本出願人は、樹脂製の保護ケースにトランス２を収納したトランス組立品を提案している（特許文献１参照）。図７は、特許文献１参照に開示されたトランス２及び保護ケース５０を示す。トランス２は、磁性材料で円環状に形成され、その外周面が樹脂で覆われたコア２０と、コア２０の外周部から中央の円形開口２０ａを突き抜けるようにして巻回された一次巻線２１及び二次巻線２２を有している。保護ケース５０は、コア２０の円形開口２０ａの軸方向の両側からトランス２を挟み込むように構成された第１ケース５１と第２ケース５２で構成されている。このトランス組立品の組み立て工程においては、第１ケース５１がベースとなり、その上に、コア２０に一次巻線２１及び二次巻線２２が巻回されたトランス２が載置され、さらにその上から第２ケース５２がカバーとして装着される。
【０００６】
第１ケース５１は、トランス２が載置される載置面５１ａと、載置面５１ａに対して略垂直に形成され、トランス２の一次巻線２１の外周面に当接する第１ガイド片５１ｂと、二次巻線２２の外周面に当接する第１ガイド片５１ｃを有している。また、第１ケース５１には、インサート成型により二次巻線２２の両端がそれぞれ電気的に接続される２つの二次側端子部材５１ｄが設けられている。第２ケース５２には、一次巻線２１の一方の端部２１ａが電気的に接続される端子板５３に設けられると共に、一次巻線２１の他方の端部２１ｂが貫通する貫通穴５２ａが形成されている。第２ケース５２の上面は、スイッチを構成する固定接点や可動接点、可動接点を変位させる反転ハンドルなどを装着可能な形状に形成されている。
【０００７】
このように、トランス２を樹脂製の保護ケース５０に収納してトランス組立品としておけば、別の工場又はラインから輸送する際やスイッチ１の組立ラインにおいてスイッチ１の筐体内部に組み込む際に、取り扱いが容易になると共に、トランス２の二次巻線２２の断線などを防止することができる。また、あらかじめトランス２の二次巻線２２の両端が、それよりも太い二次側端子部材５１ｄに接続されているので、スイッチ１の組立ラインにおける結線作業が容易になる。
【先行技術文献】
【特許文献】
【０００８】
【特許文献１】特開２００５−２０３７１５号公報
【発明の概要】
【発明が解決しようとする課題】
【０００９】
上記のように、特許文献１に開示された樹脂製の保護ケース５０にトランス２を収納したトランス組立品は、表示灯付きスイッチ１に関して有効であるが、保護ケース５０が第１ケース５１と第２ケース５２の２部品で構成されているため、表示灯付きスイッチ１の全体としては部品点数が増加する。また、第１ケース５１は、２つの二次側端子部材５１ｄと共にインサート成型されているため、第１ケース５１の製造工程が複雑であり、製造コストが高騰する要因となっている。
【００１０】
本発明は、上記従来例の問題を解決するためになされたものであり、表示灯付きスイッチを構成する部品としてトランス組立品の取り扱いが容易であり、スイッチを落下させた場合などであっても二次巻線の断線などを防止することができ、部品点数の削減及び製造工程の簡素化による製造コストの低減が可能なトランス組立品及び表示灯付きスイッチを提供することを目的とする。
【課題を解決するための手段】
【００１１】
上記目的を達成するために、本発明に係るトランス組立品は、トランスと、そのトランスを保持する保持枠体を備え、
前記トランスは、磁性材料で円環状に形成され、その外周面が絶縁性樹脂で覆われたコアと、前記コアの外周部から中央の円形開口を突き抜けるようにして巻回された一次巻線と、前記コアの外周部から前記円形開口を突き抜けるようにして巻回され、前記一次巻線よりも細い二次巻線をさらに備え、
前記保持枠体は、絶縁性樹脂で形成された単一の部品であり、前記トランスが載置される載置面と、前記載置面に対して垂直に形成され、前記トランスの外周部を係止することによって前記トランスを前記載置面に固定する複数のガイド片と、前記トランスの前記一次巻線のいずれか一方の端部と電気的に接続される端子板と、前記トランスの前記二次巻線の両端部と電気的に接続される２つの二次側端子部材を有し、
前記トランスは、前記コアの前記円形開口が前記保持枠体の前記載置面に対して平行に載置され、前記載置面が上で前記トランスが下になる状態でも、前記トランスが前記保持枠体から脱落しないように保持されていることを特徴とする。
【００１２】
前記複数のガイド片のうち、少なくとも２つのガイド片は、前記トランスの前記コアのうち、前記一次巻線及び前記二次巻線が巻回されていない部分の外周部に当接し、前記載置面とは反対側の端部に、前記円形開口の中心に向かって突出する爪が形成されていることが好ましい。
【００１３】
前記複数のガイド片のうち、少なくとも１つのガイド片は、前記トランスの前記コアに巻回された前記一次巻線の外周部に当接することが好ましい。
【００１４】
また、前記トランスの前記コアに巻回された前記一次巻線の外周部に当接する前記少なくとも１つのガイド片は、前記載置面とは反対側の端部に、前記円形開口の中心に向かって突出する爪が形成されていることが好ましい。
【００１５】
前記複数のガイド片のうち、少なくとも１つのガイド片は、前記トランスの前記コアに巻回された前記二次巻線の外周部に対向又は当接することが好ましい。
【００１６】
前記２つの二次側端子部材は、前記保持枠体とは別に形成され、それぞれ前記保持枠体に形成された貫通穴に挿入されていることが好ましい。
【００１７】
前記コアは、磁性材料で円環状に形成された芯部分と、その芯部分を完全に内部に収納しうるように、円環状の空洞が形成された絶縁樹脂性のコアケースで構成され、
前記コアケースは、前記保持枠体の前記載置面に向けて突出する突起部を有し、前記保持枠体の前記載置面には、前記突起部と係合される係合溝又は係合穴が形成されていることが好ましい。
【００１８】
また、本発明に係る表示灯付きスイッチは、
可動接点及び固定接点を備え、ユーザのハンドル操作により開閉される開閉接点部と、
環状コアに巻回された一次巻線及び二次巻線を有するトランスと、
前記トランスの二次巻線の両端に接続された表示灯を備え、
前記開閉接点部と前記トランスの前記一次巻線の直列接続体が商用電源と負荷の間に直列接続され、前記負荷がオン状態のときに前記表示灯が点灯される表示灯付きスイッチであって、
前記トランスとして、上記いずれかのトランス組立品を筐体内部に収納したことを特徴とする。
【００１９】
また、前記保持枠体の前記載置面とは反対側には、前記開閉接点部を取り付けるための取付構造が形成されていることが好ましい。
【発明の効果】
【００２０】
本発明によれば、単一の絶縁性樹脂の成型品である保持枠体によってトランスが保持され、少なくとも一次巻線の一方の端部が保持枠体に設けられた端子板に電気的に接続されているので、載置面が上でトランスが下になる状態にトランス組立品を持ち上げたとしても、トランスが保持枠体から脱落することはない。また、保持枠体の載置面に対して垂直に形成され、トランスの外周部を係止する複数のガイド片が設けられているので、トランス組立品の輸送中や表示灯付きスイッチを組み立てる際、トランス組立品に振動が加えられたとしても、保持枠体によって保持されたトランスの変位量は少なく、二次巻線が切断される可能性が低減される。そのため、表示灯付きスイッチを構成する部品としてのトランス組立品取り扱いが容易であり、スイッチを落下させた場合などであっても二次巻線の断線などを防止することができる。さらに、従来例と比較して、保持枠体を単一の部品で構成しているので、部品点数の削減及び製造工程の簡素化による製造コストの低減が可能となる。さらに、保持枠体を成型する際、二次側端子部材をインサートする必要はないので、製造工程をより簡素化することができる。
【図面の簡単な説明】
【００２１】
【図１】本発明の一実施形態に係る表示灯付きスイッチの構成を示す分解斜視図。
【図２】上記実施形態におけるトランスと保持枠体で構成されたトランス組立品の一構成例を示す分解斜視図。
【図３】上記保持枠体をそのトランスの載置面側から見た図。
【図４】上記保持枠体をトランスの二次巻線が位置する側から見た図。
【図５】上記トランスと保持枠体で構成されたトランス組立品の他の構成例を示す斜視図。
【図６】表示灯付きスイッチの一般的な構成を示す回路図。
【図７】従来のトランスと保持枠体で構成されたトランス組立品の構成を示す分解斜視図。
【発明を実施するための形態】
【００２２】
本発明の一実施形態に係る表示灯付きスイッチ及びそれに適するトランス組立品について説明する。図１は、本実施形態に係る表示灯付きスイッチ１の構成を示す。図１に示すように、表示灯付きスイッチ１は、それぞれユリア樹脂などの絶縁性熱硬化性樹脂で形成されたボディ１１及びカバー１２で構成された筐体を有している。ボディ１１は、平面視で略長方形であり、その中央部に略直方体状の収納空間１１ａが設けられている。また、長手方向（Ｘ方向）における収納空間１１ａの両外側には、電線が挿入される電線挿入穴１１ｂが形成されている。電線挿入穴１１ｂは、幅方向（Ｙ方向）にそれぞれ２つずつ形成され、合計で４箇所に形成されている。ボディ１１の内部で、各電線挿入穴１１ｂの近傍には、それぞれ挿入された電線を後述する端子板に押しつけるための錠ばね１３が設けられている。また、ボディ１１の内部で、長手方向（Ｘ方向）における錠ばね１３の外側には、電線挿入穴１１ｂに挿入された電線を引き抜く際に、錠ばね１３による施錠を解除するための解錠釦１４が設けられている。これら錠ばね１３及び解錠釦１４がボディ１１に収納された後、高さ方向（Ｚ方向）における上方から、例えば２つの端子板１５及び１６が装着される。一方の端子板１６には、後述する可動接点１８ａと共に主開閉接点部を構成する固定接点１６ａが設けられている。この端子板１６の上方には、さらにＬＥＤなどが実装された回路基板１７が装着される。
【００２３】
ボディ１１の収納空間１１ａの底部には、保持枠体３０に保持されたトランス２が収納される。前述のように、トランス２は、あらかじめ別の工場又はラインで組み立てられ、完成されたトランス組立品として納入される。そして、表示灯付きスイッチ１の組立ラインにおいて、トランス組立品は部品の１つとしてボディ１１の収納空間１１ａに取り付けられる。高さ方向（Ｚ方向）における保持枠体３０の上面３０ａは、表示灯付きスイッチ１の筐体の一部を構成し、可動接点１８ａが設けられた可動板１８、可動板１８を駆動するための反転ハンドル１９、反転ハンドル１９を所定方向に付勢するコイルばね３１などが装着可能なように、取付構造が形成されている。
【００２４】
反転ハンドル１９は、幅方向（Ｙ方向）に平行な軸を中心として、長手方向（Ｘ方向）及び高さ方向（Ｚ方向）で定義される平面内で、所定の角度範囲内で旋回可能である。可動板１８は、例えば保持枠体３０の上面３０ａに設けられた端子板３５に電気的に接続され、その一部分が反転ハンドル１９に係合されている。そして、反転ハンドル１９が安定してとりうる２つの姿勢に応じて、可動接点１８ａと固定接点１６ａが接触し、負荷がオンする状態と、可動接点１８ａと固定接点１６ａが離反し、負荷がオフする状態に切り換えられる。反転ハンドル１９が保持枠体３０の上面３０ａに装着されると、高さ方向（Ｚ方向）における上方から、カバー１２がボディ１１に装着され、さらにカバー１２の上面１２ａにコイルばね３２、スライドカム３３及び押釦ハンドル３４などが取り付けられ、表示灯付きスイッチ１が完成される。なお、ここでいう高さ方向（Ｚ方向）は、表示灯付きスイッチ１の組み立て工程における高さ方向であり、表示灯付きスイッチ１が造営面に設置されたあとは、Ｘ方向とＺ方向で定義される面が水平になり、Ｙ方向が垂直になる。
【００２５】
図２は、トランス２と保持枠体３０で構成されたトランス組立品の一構成例を示す。トランス２は、図７に示す従来例と同様に、磁性材料で円環状に形成され、その外周面が樹脂で覆われたたコア２０と、コア２０の外周部から中央の円形開口２０ａを突き抜けるようにして巻回された一次巻線２１及び二次巻線２２を有している。コア２０は、例えば磁性材料で円環状に形成された芯部分と、その芯部分を完全に内部に収納しうるように、円環状の空洞が形成された絶縁樹脂性のコアケース（例えば２つに分離可能）で構成されている。また、一次巻線２１として、例えばφ０．７程度の太い線が使用され、二次巻線２２として、例えばφ０．０９程度の非常に細い線が使用される。
【００２６】
図７に示す従来例と異なり、保持枠体３０は、例えばユリア樹脂などの絶縁性熱硬化性樹脂で形成された単一の部品であり、保持枠体３０は単独でトランス２を保持する。そのため、トランス組立品の組み立ては、図２に示す状態を上下反転し、保持枠体３０の上面３０ａが下になる状態で行われる。図３は、枠保持体３０の下面、すなわちトランス２が保持される側から見た状態を示す。枠保持体３０の下面には、トランス２が載置される平面状の載置面３０ｂと、載置面３０ｂに対して垂直に形成され、トランス２の外周部を係止する複数のガイド片３０ｃ、３０ｄ及び３０ｅが設けられている。第１ガイド片３０ｃは、トランス２のコア２０に巻回された一次巻線２１の外周部に当接するように、例えば２箇所に形成されている。図３に示す構成例では、第１ガイド片３０ｃには、爪などは形成されていない。第２ガイド片３０ｄは、トランス２のコア２０のうち、一次巻線２１も二次巻線２２も巻回されていない部分の外周部に直接当接するように、例えば２箇所に形成されている。図３に示す構成例では、第２ガイド片３０ｄには、載置面３０ｂとは反対側の端部に、コア２０の円形開口２０ａの中心に向かって突出する爪３０ｆが形成されている。また、第３ガイド片３０ｅは、トランス２のコア２０に巻回された二次巻線２２の外周部に対向又は当接するように、例えば１箇所にだけ形成されている。図３に示す構成例では、第２ガイド片３０ｄに形成された爪３０ｆがトランス２のコア２０を直接係止しているので、載置面３０ｂが上でトランス２が下になる状態にトランス組立品を持ち上げたとしても、トランス２は保持枠体３０からは脱落しない。
【００２７】
図２に示すように、保持枠体３０の上面３０ａには、一次巻線２１の一方の端部２１ａが電気的に接続される端子板３５が設けられていると共に、一次巻線２１の他方の端部２１ｂが貫通する貫通穴３０ｇが形成されている。また、保持枠体３０の上面３０ａは、上記端子板１５及び１６、可動板１８、可動板１８を変位させる反転ハンドル１９、反転ハンドル１９が所定の姿勢を維持するように付勢するコイルばね３１などが装着可能な形状に形成されている。さらに、図４に示すように、保持枠体３０の上面３０ａには貫通穴３０ｈが形成され、二次巻線２２の両端がそれぞれ電気的に接続される２つの二次側端子部材３６が挿入されている。図７に示す従来例と異なり、保持枠体３０を成型する際、二次側端子部材３６をインサートする必要はない。
【００２８】
トランス２の一次巻線２１の一方の端部２１ａは、例えば端子板３５に形成された貫通穴３５ａを貫通するように挿入され、端子板３５に圧着されることによって電気的に接続される。また、一次巻線２１の他方の端部２１ｂは、保持枠体３０の貫通穴３０ｇを貫通するように挿入され、所定方向に折り曲げられ、例えば端子板１５に接続される。上記のように、一次巻線２１の線径は、例えばφ０．７と太く、コア２０の大きさや重さを考慮すると、十分な強度を有している。参考までに、ボディ１１の長手方向（Ｘ方向）寸法は約４０ｍｍ、幅方向（Ｙ方向）寸法は約２０ｍｍであるので、コア２０の外形は１５ｍｍ程度である。従って、トランス２を保持枠体３０で保持したトランス組立品の状態では、仮に上記第２ガイド片３０ｄに爪３０ｆが形成されていなかったとしても、トランス２の一次巻線２１の一方の端部２１ａを端子板３５に圧着し、他方の端部２１ｂを所定方向に折り曲げておけば、載置面３０ｂが上でトランス２が下になる状態にトランス組立品を持ち上げたとしても、トランス２は保持枠体３０からは脱落しない。また、トランス２の一次巻線２１の一方の端部２１ａと他方の端部２１ｂは、互いに直交する方向に突出しているので、一次巻線２１の一方の端部２１ａを端子板３５の貫通穴３５ａに挿入し、他方の端部２１ｂを保持枠体３０の貫通穴３０ｇに挿入しただけの状態でも、トランス２は保持枠体３０からは脱落しにくくなる。
【００２９】
図５は、トランス２と保持枠体３０で構成されたトランス組立品の他の構成例を示す。図５において、（ａ）はトランス２を保持枠体３０で保持したトランス組立品の完成状態を示す、（ｂ）は一次巻線２１及び二次巻線２２を巻回する前のコア２０の状態を示す。図５から明らかなように、磁性材料で円環状に形成された芯部分を内部に収納する絶縁樹脂性のコアケース２０ｂに、保持枠体３０の載置面３０ｂに向けて突出する２つの突起部２０ｃが形成されていると共に、保持枠体３０に、突起部２０ｃと係合される係合溝又は係合穴３０ｊが形成されている。
【００３０】
コアケース２０ｂの突起部２０ｃは、一次巻線２１と二次巻線２２が巻回されない場所に設けられるので、自動的に一次巻線２１と二次巻線２２の位置決めとなる。また、図１などからわかるように、２つの突起部２０ｃの位置は、コア２０の円形開口２０ａの中心に対して点対称ではないので、トランス２を保持枠体３０で保持する際、保持枠体３０に対するトランス２の一次巻線２１及び二次巻線２２の位置決めにもなる。
【００３１】
また、図５に示す構成例では、第１ガイド片３０ｃの載置面３０ｂとは反対側の端部に、コア２０の円形開口２０ａの中心に向かって突出する爪３０ｋが形成されている。前述のように、一次巻線２１の線径は、例えばφ０．７と太く、十分な強度を有している。そのため、一次巻線２１の外周部を爪３０ｋで係止したとしても、一次巻線２１が断線することはない。逆に、二次巻線２２の線径は、例えばφ０．０９と細く、断線しやすいので、二次巻線２２の外周部を爪などで係止しない方が好ましい。
【００３２】
第１ガイド片３０ｃを２箇所に設ける場合は、それぞれの第１ガイド片３０ｃに爪３０ｋを形成することが好ましいが、第１ガイド片３０ｃを１箇所にしか設けない場合や、３箇所以上に設ける場合も考えられる。そのため、少なくとも１つの第１ガイド片３０ｃにコア２０の円形開口２０ａの中心に向かって突出する爪３０ｋが形成されていればよい。
【００３３】
以上説明したように、本実施形態の構成によれば、単一の絶縁性樹脂の成型品である保持枠体３０によってトランス２が保持され、少なくとも一次巻線２１の一方の端部２１ａが保持枠体３０に設けられた端子板３５に電気的に接続されているので、載置面３０ｂが上でトランス２が下になる状態にトランス組立品を持ち上げたとしても、トランス２は保持枠体３０からは脱落しない。また、保持枠体３０の載置面３０ｂに対して垂直に形成され、トランス２の外周部を係止する複数のガイド片３０ｃ、３０ｄ及び３０ｅが設けられているので、トランス組立品の輸送中や表示灯付きスイッチ１を組み立てる際、トランス組立品に振動が加えられたとしても、保持枠体３０によって保持されたトランス２変位量は少なく、二次巻線２２が切断される可能性が低減される。さらに、トランス２のコア２０のうち、一次巻線２１も二次巻線２２も巻回されていない部分の外周部に直接当接する第２ガイド片３０ｄ又は一次巻線２１の外周部に当接する第１ガイド片３０ｃに、コア２０の円形開口２０ａの中心に向かって突出する爪３０ｆ又は３０ｋが形成されている場合、これらの爪３０ｆ又は３０ｋによって、トランス２がより強固に保持枠体３０に保持される。その結果、表示灯付きスイッチ１を構成する部品としてのトランス組立品取り扱いが容易であり、スイッチを落下させた場合などであっても二次巻線２２の断線等を防止することができる。さらに、従来例と比較して、保持枠体３０を単一の部品で構成しているので、部品点数の削減及び製造工程の簡素化による製造コストの低減が可能となる。さらに、保持枠体３０を成型する際、二次側端子部材３６をインサートする必要はないので、製造工程をより簡素化することができる。
【符号の説明】
【００３４】
１  表示灯付きスイッチ
２  トランス
３  第１表示灯
４  第２表示灯
５  負荷
６  商用電源
１０  開閉接点部
１１  ボディ
２０  コア
２０ａ  円形開口
２０ｂ  コアケース
２０ｃ  突起部
２１  一次巻線
２２  二次巻線
３０  保持枠体
３０ｂ  載置面
３０ｃ、３０ｄ、３０ｅ  ガイド片
３０ｆ、３０ｋ  爪
３５  端子板
３６  二次側端子部材
【図１】
2014072216.tif 000003
【図２】
2014072216.tif 000004
【図３】
2014072216.tif 000005
【図４】
2014072216.tif 000006
【図５】
2014072216.tif 000007
【図６】
2014072216.tif 000008
【図７】
2014072216.tif 000009